(57)【特許請求の範囲】
【請求項１】
電子機器（１０）を制御する電子機器制御方法において、
上記電子機器（１０）の動作の間、該電子機器（１０）は、少なくとも１つのアクティブ状態と、少なくとも１つの待機状態との間で制御可能に切り換えられ又は切換可能であり、
上記待機状態では、少なくとも上記待機状態の終了又は監視の処理に関して動作電力が消費されず、
上記待機状態は、リモートウェークアップ無線信号（ＷＳ）の受信に応じて終了し、上記アクティブ状態が開始し、
上記待機状態を終了する動作電力は、上記受信したリモートウェークアップ無線信号（ＷＳ）から取り出され、
上記リモートウェークアップ無線信号（ＷＳ）は、第１のサイトにおいて、第１の識別コード（ＩＤ１）を含むように生成され、
上記第１の識別コード（ＩＤ１）が上記電子機器（１０）に割り当てられている所定の識別コード（ＩＤ）を含み又は該所定の識別コード（ＩＤ）に一致する場合、上記第１のサイトに関する又は上記電子機器（１０）に関する再識別処理が実行され、
上記再識別処理において、上記第１のサイトの遠隔にある第２のサイトによって、該第２のサイト又は上記電子機器（１０）を再特定する第２の識別コード（ＩＤ２）が生成及び送信され、
上記第２の識別コード（ＩＤ２）は、上記第１のサイトによって受信及び解析され、
上記第２の識別コード（ＩＤ２）が、上記第２のサイト又は上記電子機器（１０）を明白に特定する場合、上記第１のサイトにおいて、該電子機器（１０）及び該電子機器（１０）において開始される所定の処理に割り当てられた第３の識別コード（ＩＤ３）が生成及び送信される電子機器制御方法。
【請求項２】
上記待機状態においては、動作電力が全く消費されないことを特徴とする請求項１記載の電子機器制御方法。
【請求項３】
上記待機状態の間、上記電子機器（１０）は、オフに切り換えられることを特徴とする請求項１又は２記載の電子機器制御方法。
【請求項４】
上記リモートウェークアップ無線信号（ＷＳ）の受信中又は受信後に、該リモートウェークアップ無線信号（ＷＳ）を解析することを特徴とする請求項１乃至３いずれか１項記載の電子機器制御方法。
【請求項５】
上記リモートウェークアップ無線信号（ＷＳ）が上記電子機器（１０）に割り当てられている所定の識別コード（ＩＤ）を含んでいない場合、上記待機状態が再開され又はロックされた状態が開始されることを特徴とする請求項４記載の電子機器制御方法。
【請求項６】
上記リモートウェークアップ無線信号（ＷＳ）が上記電子機器（１０）に割り当てられている所定の識別コード（ＩＤ）を含んでいる場合、上記アクティブ状態が開始されることを特徴とする請求項４又は５記載の電子機器制御方法。
【請求項７】
上記識別コード（ＩＤ）は、上記電子機器（１０）に固有であることを特徴とする請求項４乃至６いずれか１項記載の電子機器制御方法。
【請求項８】
上記リモートウェークアップ無線信号（ＷＳ）は、上記第１のサイトの遠隔にある第２のサイトにおいて解析されることを特徴とする請求項１記載の電子機器制御方法。
【請求項９】
上記第１の識別コード（ＩＤ１）が上記電子機器（１０）に割り当てられている所定の識別コード（ＩＤ）を含んでおらず及び該所定の識別コード（ＩＤ）に一致しない場合、上記待機状態が再開され又はロックされた状態が開始されることを特徴とする請求項１又は８に記載の電子機器制御方法。
【請求項１０】
上記第３の識別コード（ＩＤ３）は、上記電子機器（１０）に割り当てられた潜在的第３の識別コードのリストから選択され、続いて該潜在的第３の識別コードのリストから削除され、これにより該潜在的第３の識別コードのリストが更新されることを特徴とする請求項１記載の電子機器制御方法。
【請求項１１】
上記第３の識別コード（ＩＤ３）は、上記第２のサイトにおいて受信及び解析され、
上記第３の識別コード（ＩＤ３）が上記電子機器（１０）に割り当てられている所定の識別コードに一致せず及び所定の識別コードを含んでいない場合、上記待機状態が再開され又はロックされた状態が開始されることを特徴とする請求項１又は１０記載の電子機器制御方法。
【請求項１２】
上記潜在的第３の識別コードのリストから選択され、続いて該潜在的第３の識別コードのリストから削除され、これにより該潜在的第３の識別コードのリストが更新された上記第３の識別コード（ＩＤ３）が上記電子機器（１０）に割り当てられている所定の識別コードに一致し又は所定の識別コードを含んでいる場合、上記アクティブ状態が開始されることを特徴とする請求項１１記載の電子機器制御方法。
【請求項１３】
上記リモートウェークアップ無線信号（ＷＳ）の受信及び最初の動作電力の取り出しの後に、内部の電源（１５、１８）がオンに切り換えられ、更なる処理のための動作電力が提供されることを特徴とする請求項１乃至１２いずれか１項記載の電子機器制御方法。
【請求項１４】
請求項１乃至１３いずれか１項記載の電子機器制御方法によって適応化され、該電子機器制御方法によって制御される手段を備える電子機器（１０）。
【請求項１５】
動作の間、少なくとも１つのアクティブ状態と、少なくとも１つの待機状態との間で制御可能に切り換えられることを特徴とする請求項１４記載の電子機器（１０）。
【請求項１６】
上記待機状態では、少なくとも上記待機状態の終了又は監視の処理に関して動作電力を消費しないことを特徴とする請求項１４又は１５記載の電子機器（１０）。
【請求項１７】
リモートウェークアップ無線信号（ＷＳ）の受信に応じて、上記待機状態を終了し、上記アクティブ状態を開始することを特徴とする請求項１４乃至１６いずれか１項記載の電子機器（１０）。
【請求項１８】
上記待機状態を終了する動作電力を上記受信したリモートウェークアップ無線信号（ＷＳ）から取り出すことを特徴とする請求項１４乃至１７いずれか１項記載の電子機器（１０）。
【請求項１９】
上記リモートウェークアップ無線信号（ＷＳ）を受信するためのアンテナ（１１）を更に備える請求項１４乃至１８いずれか１項記載の電子機器（１０）。
【請求項２０】
上記アンテナ（１１）に接続され、上記受信したリモートウェークアップ無線信号（ＷＳ）から動作電力を取り出す電力抽出手段（１２）を更に備える請求項１９記載の電子機器（１０）。
【請求項２１】
上記リモートウェークアップ無線信号（ＷＳ）の受信及び最初の動作電力の取り出しに応じて、内部の電源としてアクティブ化することができ、更なる処理のための更なる動作電力を提供するウェークアップ電源（１５）を更に備える請求項１４乃至２０いずれか１項記載の電子機器（１０）。
【請求項２２】
上記ウェークアップ電源（１５）は、バッテリ、アキュムレータ、コンデンサ及び電気二重層コンデンサからなるグループから選択される電源であることを特徴とする請求項２１記載の電子機器（１０）。
【請求項２３】
上記エネルギ抽出手段（１２）及び上記ウェークアップ電源（１５）に接続され、制御可能にオンに切り換えられ、更なる処理のための動作電力を提供する上記ウェークアップ電源（１５）を接続する第１の切換手段（１４）を更に備える請求項１４乃至２２いずれか１項記載の電子機器（１０）。
【請求項２４】
上記アンテナ（１１）に接続され、上記受信したリモートウェークアップ無線信号（ＷＳ）に含まれたコードを検出するコード検出手段（１３）を更に備える請求項１４乃至２３いずれか１項記載の電子機器（１０）。
【請求項２５】
上記コード検出手段（１３）は、
上記受信したリモートウェークアップ無線信号（ＷＳ）から検出及び抽出されたコードを受信し、保存する受信コード保存手段と、
当該電子機器（１０）に割り当てられた識別コード（ＩＤ）を保存する割当識別コード保存手段と、
上記受信したコードと、上記割り当てられた識別コード（ＩＤ）とを比較し、該受信したコードと、該割り当てられた識別コード（ＩＤ）との一致又は不一致に応じて制御信号を生成する比較手段とを更に備える請求項２４記載の電子機器（１０）。
【請求項２６】
上記コード検出手段（１３）は、該コード検出手段（１３）の上記制御信号を提供する制御線を備えることを特徴とする請求項２４又は２５記載の電子機器（１０）。
【請求項２７】
主回路（１７）と、主電源（１８）と、第２の切換手段（１６）とを備え、
上記第２の切換手段（１６）は、上記主回路（１７）と上記主電源（１８）との間に接続され、上記コード検出手段（１３）の上記制御線を介して、該コード検出手段（１３）によって制御されることを特徴とする請求項１４乃至２６いずれか１項記載の電子機器（１０）。
【請求項２８】
上記コード検出手段（１３）は、上記受信したコードと上記割り当てられた識別コード（ＩＤ）とが一致する場合、上記制御信号を適切に生成することによって上記第２の切換手段（１６）をオンに切り換え、上記主電源（１８）を上記主回路（１７）に接続し、これにより、上記電子機器（１０）をアクティブ状態にすることを特徴とする請求項１４乃至２７いずれか１項記載の電子機器（１０）。
【請求項２９】
上記コード検出手段（１３）は、上記受信したコードが上記割り当てられた識別コード（ＩＤ）と一致しない場合、各制御信号を適切に生成することによって上記第２の切換手段（１６）をオフに維持し、上記主回路（１７）を上記主電源（１８）から切り離し、当該電子機器（１０）を待機状態に維持し又はオフに切り換えることを特徴とする請求項１４乃至２８いずれか１項記載の電子機器（１０）。
【請求項３０】
請求項１４乃至２９いずれか１項記載の電子機器（１０）と、
上記リモートウェークアップ無線信号（ＷＳ）を提供するように適応化され、及び該リモートウェークアップ無線信号（ＷＳ）を提供する手段を備えるリモート制御手段（２０）とを備える電子システム（１００）。
【請求項３１】
上記リモート制御手段（２０）は、上記リモートウェークアップ無線信号（ＷＳ）を送信するアンテナ（２１）を備えることを特徴とする請求項３０記載の電子システム（１００）。
【請求項３２】
上記リモート制御手段（２０）は、上記アンテナ（２１）に接続され、上記リモートウェークアップ無線信号（ＷＳ）を適切に生成する無線信号生成手段（２２）を備えることを特徴とする請求項３０又は３１記載の電子システム（１００）。
【請求項３３】
上記リモート制御手段（２０）は、コードを生成し、上記リモートウェークアップ無線信号（ＷＳ）内に含ませ、該リモートウェークアップ無線信号（ＷＳ）と共に送信するコード生成手段（２３）を備えることを特徴とする請求項３０乃至３２いずれか１項記載の電子システム（１００）。
【発明の詳細な説明】
【技術分野】
【０００１】
本発明は、電子機器を制御する電子機器制御方法、電子機器及び電子システムに関する。具体的には、本発明は、待機時消費電力がゼロの電子機器に関する。
【背景技術】
【０００２】
多くの民生用電子機器は、機器のアクティブ状態又は動作状態以外に、多くの場合、ユーザがリモートから各機器をオン及びオフに切り換えることができる待機状態を有する。ここで、このような待機状態は、待機時にも電力を消費し、すなわち、電子機器内に含まれている各部分、すなわち、ある種の電気回路が、機器の待機状態を維持するために電力を消費するという問題がある。
【発明の開示】
【発明が解決しようとする課題】
【０００３】
本発明の目的は、少なくとも待機状態の監視及び終了の処理に関して如何なる電力消費も消費しない待機状態を実現する電子機器制御方法、電子機器及び電子システムを提供することである。
【課題を解決するための手段】
【０００４】
本発明の目的は、独立請求項１に基づく電子機器制御方法、独立請求項１８に基づく電子機器、及び独立請求項３４に基づく電子システムによって達成される。好ましい実施の形態は、各従属請求項に定義されている。
【０００５】
本発明の主要な思想は、待機状態の間、電力消費を回避するということである。
【０００６】
本発明の他の主要な思想は、待機状態の間に、例えば、待機状態を終了し及び／又は監視するために、受信したリモートウェークアップ無線信号から必要な動作電力を取り出すということである。
【０００７】
本発明に係る電子機器を制御する電子機器制御方法は、電子機器の動作の間、電子機器は、少なくとも１つのアクティブ状態と、少なくとも１つの待機状態との間で制御可能に切り換えられ又は切換可能であり、待機状態では、少なくとも待機状態の終了又は監視の処理に関して動作電力が消費されず、待機状態は、リモートウェークアップ無線信号の受信に応じて終了し、アクティブ状態が開始し、待機状態を終了する動作電力は、受信したリモートウェークアップ無線信号から取り出される。
【０００８】
本発明の更なる側面として提供される電子機器は、上述した電子機器制御方法によって適応化され、該電子機器制御方法によって制御される手段を備える。
【０００９】
本発明の更なる側面として提供される電子システムは、上述した電子機器と、リモートウェークアップ無線信号を提供するように適応化され、及びリモートウェークアップ無線信号を提供する手段を備えるリモート制御手段とを備える。
【発明を実施するための最良の形態】
【００１０】
以下の説明では、機能的及び構造的に同様の又は同等な要素については、同じ参照符号を付す。これらが出現する毎に同じ詳細な説明は繰り返さない。
【００１１】
本発明に基づく電子機器制御方法は、電子機器１０を制御する電子機器制御方法において、電子機器１０の動作の間、電子機器１０は、少なくとも１つのアクティブ状態と、少なくとも１つの待機状態との間で制御可能に切り換えられ又は切換可能であり、待機状態では、少なくとも待機状態の終了又は監視の処理に関して動作電力が消費されず、待機状態は、リモートウェークアップ無線信号ＷＳの受信に応じて終了し、アクティブ状態が開始し、待機状態を終了する動作電力は、受信したリモートウェークアップ無線信号ＷＳから取り出される。
【００１２】
待機状態においては、動作電力が全く消費されないことが望ましい。
【００１３】
待機状態の間、電子機器１０は、オフに切り換えてもよい。
【００１４】
リモートウェークアップ無線信号ＷＳの受信中又は受信後に、リモートウェークアップ無線信号ＷＳを解析してもよい。
【００１５】
リモートウェークアップ無線信号ＷＳが電子機器１０に割り当てられている所定の識別コードＩＤを含んでいない場合、待機状態を再開し又はロックされた状態を開始してもよい。
【００１６】
リモートウェークアップ無線信号ＷＳが電子機器１０に割り当てられている所定の識別コードＩＤを含んでいる場合、アクティブ状態を開始してもよい。
【００１７】
識別コードＩＤは、電子機器１０に固有であってもよい。
【００１８】
リモートウェークアップ無線信号ＷＳは、第１のサイトにおいて、第１の識別コードＩＤ１を含むように生成してもよい。
【００１９】
リモートウェークアップ無線信号ＷＳは、特に、第１のサイトの遠隔にある第２のサイトにおいて解析してもよい。
【００２０】
第１の識別コードＩＤ１が電子機器１０に割り当てられている所定の識別コードＩＤを含んでおらず及び所定の識別コードＩＤに一致しない場合、待機状態を再開し又はロックされた状態を開始してもよい。
【００２１】
第１の識別コードＩＤ１が電子機器１０に割り当てられている所定の識別コード（ＩＤ）を含み又は所定の識別コードＩＤに一致する場合、第１のサイトに関する又は電子機器１０に関する再識別処理を実行してもよい。
【００２２】
再識別処理において、第２のサイトによって、第２のサイト又は電子機器１０を再特定する第２の識別コードＩＤ２を生成及び送信してもよい。
【００２３】
第２の識別コードＩＤ２は、第２のサイトによって受信及び解析してもよい。
【００２４】
第２の識別コードＩＤ２が、第２のサイト又は電子機器１０を明白に特定する場合、第１のサイトにおいて、電子機器１０及び電子機器１０において開始される所定の処理に割り当てられた第３の識別コードＩＤ３を生成及び送信してもよい。
【００２５】
第３の識別コードＩＤ３は、電子機器１０に割り当てられた潜在的第３の識別コードのリストから選択され、続いて潜在的第３の識別コードのリストから削除され、これにより潜在的第３の識別コードのリストを更新してもよい。
【００２６】
第３の識別コードＩＤ３は、第２のサイトにおいて受信及び解析してもよい。
【００２７】
第３の識別コードＩＤ３が電子機器１０に割り当てられている所定の識別コードに一致せず及び所定の識別コードを含んでいない場合、待機状態を再開し又はロックされた状態を開始してもよい。
【００２８】
潜在的第３の識別コードのリストから選択され、続いて潜在的第３の識別コードのリストから削除され、これにより潜在的第３の識別コードのリストが更新された第３の識別コードＩＤ３が電子機器１０に割り当てられている所定の識別コードに一致し又は所定の識別コードを含んでいる場合、アクティブ状態を開始してもよい。
【００２９】
リモートウェークアップ無線信号ＷＳの受信及び最初の動作電力の取り出しの後に、内部の電源１５、１８がオンに切り換えられ、更なる処理のための動作電力が提供される。
【００３０】
更に、本発明に係る電子機器は、上述した電子機器制御方法によって適応化され、電子機器制御方法によって制御される回路を備える。
【００３１】
電子機器１０は、動作の間、少なくとも１つのアクティブ状態と、少なくとも１つの待機状態との間で制御可能に切り換えられる。
【００３２】
電子機器１０は、待機状態では、少なくとも待機状態の終了又は監視の処理に関して動作電力を消費しないように構成してもよい。
【００３３】
電子機器１０は、リモートウェークアップ無線信号ＷＳの受信に応じて、待機状態を終了し、アクティブ状態を開始してもよい。
【００３４】
電子機器１０は、待機状態を終了する動作電力を受信したリモートウェークアップ無線信号ＷＳから取り出してもよい。
【００３５】
電子機器１０は、リモートウェークアップ無線信号ＷＳを受信するためのアンテナ１１備えていてもよい。
【００３６】
電子機器１０は、アンテナ１１に接続され、受信したリモートウェークアップ無線信号ＷＳから動作電力を取り出す電力抽出器１２を更に備える。
【００３７】
電子機器１０は、リモートウェークアップ無線信号ＷＳの受信及び最初の動作電力の取り出しに応じて、内部の電源としてアクティブ化することができ、更なる処理のための更なる動作電力を提供するウェークアップ電源１５を更に備える。
【００３８】
ウェークアップ電源１５は、バッテリ、アキュムレータ、コンデンサ及び電気二重層コンデンサ（gold capacitor）からなるグループからされる電源であってもよい。
【００３９】
電子機器１０は、エネルギ抽出器１２及びウェークアップ電源１５に接続され、制御可能にオンに切り換えられ、更なる処理のための動作電力を提供するウェークアップ電源１５を接続する第１のスイッチ１４を更に備えていてもよい
電子機器１０は、アンテナ１１に接続され、受信したリモートウェークアップ無線信号ＷＳに含まれたコードを検出するコード検出器を更に備えていてもよい。
【００４０】
コード検出器１３は、受信したリモートウェークアップ無線信号ＷＳから検出及び抽出されたコードを受信し、保存する受信コード保存メモリと、電子機器１０に割り当てられた識別コードＩＤを保存する割当識別コード保存メモリと、受信したコードと、割り当てられた識別コードＩＤとを比較し、受信したコードと、割り当てられた識別コード（ＩＤ）との一致又は不一致に応じて制御信号を生成する比較器とを更に備えていてもよい。
【００４１】
コード検出器１３は、コード検出器１３の制御信号を提供する制御線を備えていてもよい。
【００４２】
電子機器は、主回路１７と、主電源１８と、第２のスイッチ１６とを備えていてもよく、第２のスイッチ１６は、主回路１７及び主電源１８との間に接続され、コード検出器１３の制御線を介して、コード検出器１３によって制御してもよい。
【００４３】
コード検出器１３は、受信したコード及び割り当てられた識別コードＩＤとが一致する場合、制御信号を適切に生成することによって第２のスイッチ１６をオンに切り換え、主電源１８を主回路１７に接続し、これにより、電子機器１０をアクティブ状態にしてもよい。
【００４４】
コード検出器１３は、受信したコードが割り当てられた識別コードＩＤと一致しない場合、各制御信号を適切に生成することによって第２のスイッチ１６をオフに維持し、主回路１７を主電源１８から切り離し、電子機器１０を待機状態に維持し又はオフに切り換えてもよい。
【００４５】
更に、本発明に係る電子システムは、上述した電子機器１０と、リモートウェークアップ無線信号ＷＳを提供するように適応化され、及びリモートウェークアップ無線信号ＷＳを提供する回路を備えるリモート制御装置２０とを備える。
【００４６】
リモート制御装置２０は、リモートウェークアップ無線信号ＷＳを送信するアンテナ２１を備えていてもよい。
【００４７】
リモート制御装置２０は、アンテナ２１に接続され、リモートウェークアップ無線信号ＷＳを適切に生成する無線信号生成器２２を備えていてもよい。
【００４８】
リモート制御装置２０は、コードを生成し、リモートウェークアップ無線信号ＷＳ内に含ませ、リモートウェークアップ無線信号ＷＳと共に送信するコード生成器２３を備えていてもよい。
【００４９】
以下、本発明のこれらの及び更なる側面について説明する。
【００５０】
本発明は、待機時消費電力がゼロの電子機器を提供する。
【００５１】
通常、電子機器の待機回路は、電子機器をオンに切り換えるために、何らかの待機時消費電力を必要とする。
【００５２】
待機時消費電力をゼロにするとは、待機フェーズの間、電力を消費することなく、電子機器をオンに切り換えることができるようにすることを意味する。
【００５３】
電子機器を実際にオンに切り換えるリモートユニットは、例えば、高周波信号を受信機に送信し、受信機は、認識回路のスイッチをオンに切り換えるための必要なエネルギを供給する。誤検出を回避するために、高周波信号は、意図された機器だけをオンに切り換えるためのコードを含んでいる。
【００５４】
現在、電子機器の製造業者は、電子機器の待機状態を維持するために電力を消費する電気回路を使用している。市場では、環境保護のために、このような電力を低減することが望まれている。
【００５５】
本発明によれば、待機状態の間、待機電力を消費することなく（０ワット）、電子機器を遠隔からオンに切り換えることができるシステムを提供できる。
【００５６】
意図した機器だけをオンに切り換えるために、システムは、送信のために固有のキーを用いる。
【００５７】
電気機器のスイッチをオンにするために、リモートユニットは、受信機に高周波（ＲＦ）信号を送信する。
【００５８】
本発明では、この高周波信号のエネルギを利用して、電子機器内の回路をアクティブ化する。
【００５９】
この内部の回路の電力は、電子機器がオン状態の間に、事前に充電されたエネルギバッファ（電気二重層コンデンサ又はアキュムレータ等）から取り出される。
【００６０】
送信された高周波信号は、各電子機器について固有のコードを含む。
【００６１】
一旦、回路がアクティブ化されると、送信されたコードを検査する素子がアクティブ化される。
【００６２】
この検査によって正しいコードが検出されないと、素子は回路のスイッチを切る。
【００６３】
一方、この検査によって正しいコードが検出されると、素子は、より強いスイッチ（例えば、リレー、ＭＯＳＦＥＴ）をアクティブ化し、電子機器の電源を完全にオンに切り換える。
【００６４】
以下では、図面を参照して本発明の実施の形態を説明する。
【００６５】
図１は、本発明の第１の好ましい実施の形態の幾つかの基本的な側面のブロック図を示している。
【００６６】
すなわち、図１は、本発明に基づく電子システム１００を示している。電子システム１００は、電子機器１０と、電子機器１０の動作を制御するリモート制御装置２０とを備える。電子機器１０は、ウェークアップユニット１０−１と、メインユニット１０−２とを備える。電子機器１０のメインユニット１０−２は、電子機器１０の主な処理を担当し、ウェークアップユニット１０−１は、電子機器の全体１０が待機状態に切り換えられている場合、メインユニット１０−２を起動し、すなわち、メインユニット１０−２をオンに切り換える。ウェークアップユニット１０−１は、リモートウェークアップ無線信号ＷＳの受信に応じて、メインユニット１０−２を起動する。この起動は、リモートウェークアップ無線信号ＷＳを受信し、例えば、リモートウェークアップ無線信号ＷＳが各電子機器１０に属する割り当てられた識別コードに対応又は一致する各識別コードを含んでいるかの検査によって、リモートウェークアップ無線信号ＷＳが各電子機器１０に適合した場合のみ、受信したリモートウェークアップ無線信号ＷＳから所定の量のエネルギ又は電力を取り出し、必要な動作電力を提供することによって実現される。電子機器１０の起動の処理全体、すなわち、電子機器１０待機状態からアクティブな動作状態への切換は、例えば、ユーザがリモート制御装置２０を操作することによって開始される。ユーザがリモート制御装置２０を操作すると、リモート制御装置２０は、各リモートウェークアップ無線信号ＷＳを生成及び送信し、電子機器１０のウェークアップユニット１０−１がこのリモートウェークアップ無線信号ＷＳを受信及び解析する。
【００６７】
以下、本発明に基づく電子システム１００のより詳細な構造のブロック図を示す図２を用いて、本発明を更に詳細に説明する。
【００６８】
図２は、本発明に基づく電子システム１００を示している。電子システム１００は、電子機器１０と、電子機器１０の動作を制御するリモート制御装置２０とを備える。電子機器１０は、ウェークアップユニット１０−１と、メインユニット１０−２とを備える。電子機器１０のメインユニット１０−２は、電子機器１０の主な処理を担当し、ウェークアップユニット１０−１は、電子機器の全体１０が待機状態に切り換えられている場合、メインユニット１０−２を起動し、すなわち、メインユニット１０−２をオンに切り換える。ウェークアップユニット１０−１は、リモートウェークアップ無線信号ＷＳの受信に応じて、メインユニット１０−２を起動する。この起動は、リモートウェークアップ無線信号ＷＳを受信し、例えば、リモートウェークアップ無線信号ＷＳが各電子機器１０に属する割り当てられた識別コードに対応又は一致する各識別コードを含んでいるかの検査によって、リモートウェークアップ無線信号ＷＳが各電子機器１０に適合した場合のみ、受信したリモートウェークアップ無線信号ＷＳから所定の量のエネルギ又は電力を取り出し、必要な動作電力を提供することによって実現される。電子機器１０の起動の処理全体、すなわち、電子機器１０待機状態からアクティブな動作状態への切換は、例えば、ユーザがリモート制御装置２０を操作することによって開始される。ユーザがリモート制御装置２０を操作すると、リモート制御装置２０は、各リモートウェークアップ無線信号ＷＳを生成及び送信し、電子機器１０のウェークアップユニット１０−１がこのリモートウェークアップ無線信号ＷＳを受信及び解析する。
【００６９】
図２の実施の形態では、電子機器１０のメインユニット１０−２は、主回路１７と、主電源又は電源１８とを備え、主回路１７及び電源１８は、第２のスイッチ又は電力スイッチ１６を介して電気的に接続されている。第２のスイッチ又は電力スイッチ１６は、電子機器１０のウェークアップユニット１０−１によって制御される。
【００７０】
電子機器１０のウェークアップユニット１０−１は、無線で伝送されるリモートウェークアップ無線信号ＷＳを受信するアンテナ１１を備える。更に、ウェークアップユニット１０−１は、エネルギ抽出及び変換器１２及びコード検出器１３を備え、エネルギ抽出及び変換器１２及びコード検出器１３は、それぞれ、アンテナ１１に接続され、リモートウェークアップ無線信号ＷＳの受信の都度、受信したリモートウェークアップ無線信号ＷＳの少なくとも一部が供給される入力端子を有する。エネルギ抽出及び変換器１２は、受信したリモートウェークアップ無線信号ＷＳから所定の量のエネルギ又は電力を取り出し、このエネルギ又は電力を、ウェークアップサイクル、すなわち、電子機器１０を待機状態からアクティブ及び動作状態に切り換えるサイクルの初期段の動作電力として提供する。ウェークアップユニット１０−１内に配設されている第１のスイッチ１４は、変換及び取り出されたエネルギ又は電力によって制御され、ウェークアップ電源１５をオンに切り換え、コード検出器１３に電力を供給し、コード検出器１３は、この後、受信したリモートウェークアップ無線信号ＷＳ内に、所定の情報又はコードシーケンスが含まれているかを検査する。ここで、コード検出器１３がリモートウェークアップ無線信号ＷＳから抽出された情報と、電子機器１０に割り当てられている各識別コードとを比較した後に、リモートウェークアップ無線信号ＷＳに含まれている抽出された識別コードが割り当てられた識別コードに対応又は一致する場合、コード検出器１３は、制御信号を生成し、第２のスイッチ又は電力スイッチ１６に供給し、第２のスイッチ又は電力スイッチ１６をオンに切り換え、一方、両方のコードが一致しない場合、第２のスイッチ又は電力スイッチ１６をオフの状態に維持する。
【００７１】
また、図２には、エネルギ及びコードシーケンスを含むリモートウェークアップ無線信号ＷＳとして高周波信号を生成及び送信するリモート制御装置２０も示されている。リモート制御装置２０は、送信アンテナ２１を備え、送信アンテナ２１は、高周波信号又はリモートウェークアップ無線信号ＷＳを生成するリモートウェークアップ無線信号ＷＳ生成器２２に接続にされている。リモートウェークアップ無線信号ＷＳ生成器２２は、コード生成器２３及び電源２５に接続されている。コード生成器２３は、可能な識別コードを生成し、リモートウェークアップ無線信号ＷＳ生成器２２によって生成された高周波信号又はリモートウェークアップ無線信号ＷＳに、この識別コードを挿入する。
【図面の簡単な説明】
【００７２】
【図１】本発明の第１の好ましい実施の形態の基本的な側面を説明する概略的なブロック図である。
【図２】本発明の第２の好ましい実施の形態の幾つかの基本的な側面を説明する概略的なブロック図である。
【符号の説明】
【００７３】
１０  本発明に基づく電子機器、１０−１  ウェークアップユニット、１０−２  メインユニット、１１  受信アンテナ、アンテナ、１２  エネルギ／電力抽出／変換器、１３  コード検出器、１４  第１のスイッチ、１５  ウェークアップ電源／ソース、１６  第２のスイッチ、電力スイッチ、１７  主回路、１８  主電源／ソース、２０  リモート制御装置、２１  送信アンテナ、アンテナ、２２  高周波信号／リモートウェークアップ無線信号生成器、２３  コード生成器、２５  電源／ソース１００  本発明に基づく電子システム、ＩＤ  割り当てられた識別コード、ＷＳ  リモートウェークアップ無線信号
【図１】
0005164430.tif 000002
【図２】
0005164430.tif 000003